(57)【要約】 【課題】窓部等に対する取り付けや取り外しを簡易に行うことができると共に、製造コストの低減を期し得る引上げ式プリーツカーテンを提供する。                          【解決手段】直線状の折り目２が上下複数段に形成されてなるカーテン本体３を、昇降コード１２の昇降操作によって各折り目２での屈曲によりジグザグ状の折り畳み状態で引き上げ可能である。カーテン本体３の下端にウエイト部６が設けられ、カーテン本体３の上端にはテンションバー７を挿通させる挿通孔９が設けられている。昇降コード５は、カーテン本体３の側面の幅方向の両側において、上下方向のコード挿通部１２の列に夫々挿通され、その下端がウエイト部６に取り付けられている。昇降コード５の上端側は、ガイド挿通部４０に挿通され、カーテン本体３の所要の引き上げ状態が、昇降コード５に取り付けられたストッパ具１５で保持される。【選択図】図１
0003162307.tif 000002
【実用新案登録請求の範囲】
【請求項１】
横方向に連続する直線状の折り目が上下複数段に形成されてなるカーテン本体を、昇降コードの昇降操作によって各折り目での屈曲によりジグザグ状の折り畳み状態で引上げ可能となされた引上げ式プリーツカーテンであって、
前記カーテン本体の最下段の折り目の下側にウエイト部が設けられると共に、該カーテン本体の最上段の折り目の上側には、テンションバーを挿通させるための挿通孔がカーテン本体の幅方向に設けられており、
前記昇降コードは、前記カーテン本体の後面の幅方向の少なくとも両側で、最上段の折り目から数えて奇数番目の折り目の後部分において設けられたコード挿通部に挿通せしめられ、該昇降コードの下端部は前記ウエイト部に取り付けられており、
又、該昇降コードは、前記最上段の折り目が存する部分において乃至該最上段の折り目の上側において設けられたガイド挿通部に挿通されており、前記カーテン本体の後面の幅方向の一端側に設けられているストッパ用ガイド挿通部には、全ての昇降コードが挿通せしめられて該ストッパ用ガイド挿通部の外側部で下方に垂れた状態となされ、垂れた昇降コード束は、弾性押圧式のストッパ具の紐ガイドに挿通せしめられており、該昇降コード束を下方に引いた状態で、該ストッパ具を該昇降コード束に沿って上方向に移動させて後、該昇降コード束を、該ストッパ具に設けられている弾性挾持手段で挾着させることにより該ストッパ具を該昇降コード束に固定させ得るようになされており、固定状態のストッパ具を前記ストッパ用ガイド挿通部の前記外側部に当接状態に係合させることにより、前記カーテン本体の所要の引き上げ状態を保持させ得ることを特徴とする引上げ式プリーツカーテン。
【請求項２】
横方向に連続する直線状の折り目が上下複数段に形成されてなるカーテン本体を、昇降コードの昇降操作によって各折り目での屈曲によりジグザグ状の折り畳み状態で引上げ可能となされた引上げ式プリーツカーテンであって、
前記カーテン本体の最下段の折り目の下側にウエイト部が設けられると共に、該カーテン本体の最上段の折り目の上側には、テンションバーを挿通させるための挿通孔がカーテン本体の幅方向に設けられており、又、前記最上段の折り目から数えて奇数番目の折り目の後部分には突出片が形成されており、該突出片は、前記カーテン本体を構成するカーテン基布を後方に突出するように二つ折りして形成した二つ折り部の基端部を該カーテン基布の幅方向に縫製して構成され、縫製による縫い線によって前記折り目が形成されており、
前記昇降コードは、前記カーテン本体の後面の幅方向の少なくとも両側で、前記突出片に設けられた、貫通孔としてのコード挿通部に挿通せしめられ、該昇降コードの下端部は前記ウエイト部に取り付けられており、
又、該昇降コードは、前記最上段の折り目が存する部分において乃至該最上段の折り目の上側において設けられたガイド挿通部に挿通されており、前記カーテン本体の後面の幅方向の一端側に設けられているストッパ用ガイド挿通部には、全ての昇降コードが挿通せしめられて該ストッパ用ガイド挿通部の外側部で下方に垂れた状態となされ、垂れた昇降コード束は、弾性押圧式のストッパ具の紐ガイドに挿通せしめられており、該昇降コード束を下方に引いた状態で、該ストッパ具を該昇降コード束に沿って上方向にスライドさせて後、該昇降コード束を、該ストッパ具に設けられている弾性挾持手段で挾着させることにより該ストッパ具を該昇降コード束に固定させ得るようになされており、固定状態のストッパ具を前記ストッパ用ガイド挿通部の前記外側部に当接状態に係合させることにより、前記カーテン本体の所要の引き上げ状態を保持させ得ることを特徴とする引上げ式プリーツカーテン。
【請求項３】
前記二つ折り部が形成する筒状部に、該二つ折り部の直線性を保持させ得る線状材が収容されており、該収容された状態の線状材の後側又は前側に位置させて前記コード挿通部が設けられていることを特徴とする請求項２記載の引上げ式プリーツカーテン。
【請求項４】
横方向に連続する直線状の折り目が上下複数段に形成されてなるカーテン本体を、昇降コードの昇降操作によって各折り目での屈曲によりジグザグ状の折り畳み状態で引上げ可能となされた引上げ式プリーツカーテンであって、
前記カーテン本体の最下段の折り目の下側にウエイト部が設けられると共に、該カーテン本体の最上段の折り目の上側には、テンションバーを挿通させるための挿通孔がカーテン本体の幅方向に設けられており、
前記昇降コードは、前記カーテン本体の幅方向の少なくとも両側で、上下の折り目間をなすカーテン片に設けられた、貫通孔としてのコード挿通部に挿通せしめられ、該昇降コードの下端部が前記ウエイト部に取り付けられており、
又、該昇降コードは、前記最上段の折り目が存する部分において乃至該最上段の折り目の上側において設けられたガイド挿通部に挿通されており、前記カーテン本体の後面の幅方向の一端側に設けられているストッパ用ガイド挿通部には、全ての昇降コードが挿通せしめられて該ストッパ用ガイド挿通部の外側部で下方に垂れた状態となされ、垂れた昇降コード束は、弾性押圧式のストッパ具の紐ガイドに挿通せしめられており、該昇降コード束を下方に引いた状態で、該ストッパ具を該昇降コード束に沿って上方向に移動させて後、該昇降コード束を、該ストッパ具に設けられている弾性挾持手段で挾着させることにより該ストッパ具を該昇降コード束に固定させ得るようになされており、固定状態のストッパ具を前記ストッパ用ガイド挿通部の前記外側部に当接状態に係合させることにより、前記カーテン本体の所要の引き上げ状態を保持させ得ることを特徴とする引上げ式プリーツカーテン。
【請求項５】
前記コード挿通部は、前記カーテン片の上下幅の略中央部に設けられていることを特徴とする請求項４記載の引上げ式プリーツカーテン。
【請求項６】
前記ガイド挿通部は、前記昇降コードを下方から支持する平滑なガイド部を有するガイドリングを用いて構成されていることを特徴とする請求項１〜５の何れかに記載の引上げ式プリーツカーテン。
【考案の詳細な説明】
【技術分野】
【０００１】
本考案は、引上げ式プリーツカーテンに関するものであり、より詳しくは、構造が簡素で製造コストの低減を期し得ると共に、窓部等に対する取り付けや取り外しを簡易に行うことのできる引上げ式プリーツカーテンに関するものである。
【背景技術】
【０００２】
引上げ式プリーツカーテンの一例としては特開２０００−２２０３６７号公報（特許文献１）や特開平９−１７７４５０号公報（特許文献２）等が開示するものが提案されている。
【０００３】
これら従来の引上げ式プリーツカーテンａは、例えば図２３に示すように、横方向に連続する直線状の折り目ｂが上下複数段に形成されてなるカーテン本体ｃを昇降コードｄの昇降操作によって各折り目ｂでの屈曲によりジグザグ状の折り畳み状態で引上げ可能となされた基本構成を具えると共に、該カーテン本体ｃの上縁部分ｅを、例えば建物の窓部の上縁部にブラケットｆを介してビス固定される複雑構造のヘッドボックスｈに取り付けると共に、該昇降コードｄの全てを纏めて、該ヘッドボックスｈの一端側に設けられたロック装置ｊに通して下方に垂れた状態とし、該垂れた状態の昇降コードｄを下方に引くことによってカーテン本体ｃが引き上げられる如くなされており、所要の引上げ状態で、該昇降コードｄを該ロック装置ｊでロックすることによりカーテンの引上げ状態が保持されるように構成されていた。
【０００４】
しかしながら、かかる従来の引上げ式プリーツカーテンａによるときは、窓部の幅に合わせて形成された所要長さの前記ヘッドボックスｈを窓部の上縁部にブラケットｆを介してビス固定する必要があり、引上げ式プリーツカーテンａの製造コストの上昇を招く問題があったばかりか、窓部ｆへのヘッドボックスｈの固定作業に手間を要する問題があった。又、該ヘッドボックスｈを該上縁部にビス固定するために窓部を損傷する問題もあった。
【０００５】
又、前記昇降コードｄを所要の引上げ状態でロックさせるための前記ロック装置ｊは、例えば図２４に示すように、昇降コードｄを挿通させるためのコードガイド部ｍが、左右方向のラック状歯ｎを有した下片ｐと、該下片ｐに対向する上片ｑに回動自在に取り付けられたローラｒとの間で形成されており、且つ、ピニオン状のロックローラｓが、前記ラック状歯ｎに噛合して左右動可能に設けられていた。そして、全ての昇降コードｄを前記コードガイド部ｍに挿通せしめ、これを同図に示すように、前記ロックローラｓの周面ｔに接触させて横方向に挿通状態とする。このように挿通された昇降コードｄは、該ロックローラｓが前記下片ｐの左側の坂状部分ｕを噛合状態で登るように移動することにより、図２４に実線で示すように、該ロックローラｓと前記ローラｒとの間で挾まれてロックされるように構成されていたが、かかるロック装置ｊは構造的に複雑であって値段も高く、引上げ式プリーツカーテンの製造コストの上昇を招く一因となっていた。
【先行技術文献】
【特許文献】
【０００６】
【特許文献１】特開２０００−２２０３６７号公報
【特許文献２】特開平９−１７７４５０号公報
【考案の概要】
【考案が解決しようとする課題】
【０００７】
本考案は、前記従来の問題点に鑑みて開発されたものであり、窓部等に対する取り付けや取り外しを簡易に行うことができると共に製造コストの低減を期し得る引上げ式プリーツカーテンの提供を課題とするものである。
【課題を解決するための手段】
【０００８】
前記課題を解決するため本考案は以下の手段を採用する。
即ち、本考案に係る引上げ式プリーツカーテンは、横方向に連続する直線状の折り目が上下複数段に形成されてなるカーテン本体を、昇降コードの昇降操作によって各折り目での屈曲によりジグザグ状の折り畳み状態で引上げ可能となされた引上げ式プリーツカーテンであって、前記カーテン本体の最下段の折り目の下側にウエイト部が設けられると共に、該カーテン本体の最上段の折り目の上側には、テンションバーを挿通させるための挿通孔がカーテン本体の幅方向に設けられており、前記昇降コードは、前記カーテン本体の後面の幅方向の少なくとも両側で、最上段の折り目から数えて奇数番目の折り目の後部分において設けられたコード挿通部に挿通せしめられ、該昇降コードの下端部は前記ウエイト部に取り付けられている。又、該昇降コードは、前記最上段の折り目が存する部分において乃至該最上段の折り目の上側において設けられたガイド挿通部に挿通されており、前記カーテン本体の後面の幅方向の一端側に設けられているストッパ用ガイド挿通部には、全ての昇降コードが挿通せしめられて該ストッパ用ガイド挿通部の外側部で下方に垂れた状態となされており、垂れた昇降コード束は、弾性押圧式のストッパ具の紐ガイドに挿通せしめられており、該昇降コード束を下方に引いた状態で、該ストッパ具を、該昇降コード束に沿って上方向に移動させて後、該昇降コード束を該ストッパ具に設けられている弾性挾持手段で挾着させることにより該ストッパ具を該昇降コード束に固定させ得るようになされており、固定状態のストッパ具を前記ストッパ用ガイド挿通部の前記外側部に当接状態に係合させることにより、前記カーテン本体の所要の引き上げ状態を保持させ得ることを特徴とするものである。
【０００９】
本考案に係る引上げ式プリーツカーテンのより具体的な態様は、横方向に連続する直線状の折り目が上下複数段に形成されてなるカーテン本体を、昇降コードの昇降操作によって各折り目での屈曲によりジグザグ状の折り畳み状態で引上げ可能となされた引上げ式プリーツカーテンであって、前記カーテン本体の最下段の折り目の下側にウエイト部が設けられると共に、該カーテン本体の最上段の折り目の上側には、テンションバーを挿通させるための挿通孔がカーテン本体の幅方向に設けられており、又、前記最上段の折り目から数えて奇数番目の折り目の後部分には突出片が形成されており、該突出片は、前記カーテン本体を構成するカーテン基布を後方に突出するように二つ折りして形成した二つ折り部の基端部を該カーテン基布の幅方向に縫製して構成され、縫製による縫い線によって前記折り目が形成されており、前記昇降コードは、前記カーテン本体の後面の幅方向の少なくとも両側で、前記突出片に設けられた、貫通孔としてのコード挿通部に挿通せしめられ、該昇降コードの下端部は前記ウエイト部に取り付けられている。又、該昇降コードは、前記最上段の折り目が存する部分において乃至該最上段の折り目の上側において設けられたガイド挿通部に挿通されており、前記カーテン本体の後面の幅方向の一端側に設けられているストッパ用ガイド挿通部には、全ての昇降コードが挿通せしめられて該ストッパ用ガイド挿通部の外側部で下方に垂れた状態となされており、垂れた昇降コード束は、弾性押圧式のストッパ具の紐ガイドに挿通せしめられており、該昇降コード束を下方に引いた状態で、該ストッパ具を該昇降コード束に沿って上方向にスライドさせて後、該昇降コード束を、該ストッパ具に設けられている弾性挾持手段で挾着させることにより該ストッパ具を該昇降コード束に固定させ得るようになされており、固定状態のストッパ具を前記一端側のストッパ用ガイド挿通部の前記外側部に当接状態に係合させることにより、前記カーテン本体の所要の引き上げ状態を保持させ得ることを特徴とするものである。
【００１０】
該引上げ式プリーツカーテンにおいて、前記二つ折り部が形成する筒状部に、該二つ折り部の直線性を保持させ得る線状材が収容されたものとし、該収容された状態の線状材の後側又は前側に位置させて前記コード挿通部が設けることもある。
【００１１】
本考案に係る引上げ式プリーツカーテンのその他の態様は、横方向に連続する直線状の折り目が上下複数段に形成されてなるカーテン本体を、昇降コードの昇降操作によって各折り目での屈曲によりジグザグ状の折り畳み状態で引上げ可能となされた引上げ式プリーツカーテンであって、前記カーテン本体の最下段の折り目の下側にウエイト部が設けられると共に、該カーテン本体の最上段の折り目の上側には、テンションバーを挿通させるための挿通孔がカーテン本体の幅方向に設けられており、前記昇降コードは、前記カーテン本体の幅方向の少なくとも両側で、上下の折り目間をなすカーテン片に設けられた、貫通孔としてのコード挿通部に挿通せしめられ、該昇降コードの下端部が前記ウエイト部に取り付けられている。又、該昇降コードは、前記最上段の折り目が存する部分において乃至該最上段の折り目の上側において設けられたガイド挿通部に挿通されており、前記カーテン本体の後面の幅方向の一端側に設けられているストッパ用ガイド挿通部には、全ての昇降コードが挿通せしめられて該ストッパ用ガイド挿通部の外側部で下方に垂れた状態となされ、垂れた昇降コード束は、弾性押圧式のストッパ具の紐ガイドに挿通せしめられており、該昇降コード束を下方に引いた状態で、該ストッパ具を該昇降コード束に沿って上方向に移動させて後、該昇降コード束を、該ストッパ具に設けられている弾性挾持手段で挾着させることにより該ストッパ具を該昇降コード束に固定させ得るようになされており、固定状態のストッパ具を前記ストッパ用ガイド挿通部の前記外側部に当接状態に係合させることにより、前記カーテン本体の所要の引き上げ状態を保持させ得ることを特徴とするものである。前記コード挿通部は、前記カーテン片の上下幅の略中央部に設けるのが好ましい。
【００１２】
前記の各引上げ式プリーツカーテンにおいて、前記ガイド挿通部は、前記昇降コードを下方から支持する平滑なガイド部を有するガイドリングを用いて構成するのがよい。
【考案の効果】
【００１３】
本考案は以下の如き優れた効果を奏する。
(1) 本考案に係る引上げ式プリーツカーテンは、テンションバーと弾性挾持方式のストッパ具を具えて構成されており、窓部等へのカーテン本体の取り付けに際して、従来のような複雑構造のヘッドボックスを必要としない。又、カーテン本体の引上げ状態を保持させるためのストッパ具も、従来のような機械的に複雑なものを必要としない。かかることから本考案によるときは、引上げ式プリーツカーテンを構造簡素に構成でき製造コストの低減を期し得る。
又、カーテン本体を窓部等に吊下するためにテンションバーを用いるため、従来のようにヘッドボックスを窓部等にビス固定する必要がないことから、引上げ式プリーツカーテンの取り付け作業を簡易且つ能率的に行うことができると共に、窓部の壁面等を損傷する恐れもない。加えて、カーテン本体のクリーニング等に際しては、テンションバーを窓部等から取り外すことよって、該引上げ式プリーツカーテンの全体を容易に取り外すことができる。
更に、所要長さのテンションバーを選択し、或いはテンションバーの長さを所要に設定することにより、窓部等の取り付け場所の幅の違いに応じて所要幅のカーテン本体を容易に取り付けることができる。
【００１４】
(2) 前記コード挿通部を、前記カーテン基布を二つ折りして形成した二つ折り部からなる突出片に設けた貫通孔を以て構成する場合は、構造的に安定したコード挿通部を構成できることとなる。この場合、該二つ折り部が形成する筒状部に前記線状材を収容するときは、該二つ折り部の全長が長いときにも、該二つ折り部の直線性（即ち、カーテン片の直線性）を安定的に保持させることができる。
【００１５】
(3) 前記コード挿通部を、上下の折り目間をなすカーテン片に設けられた貫通孔を以て構成する場合は、コード挿通部を簡易に形成できる。特に該コード挿通部を、前記カーテン片の上下幅の略中央部に設ける場合は、該カーテン本体を、該カーテン片を略水平状態にして、ジグザグ状の折り畳み状態で体裁よく引上げることができる。
【図面の簡単な説明】
【００１６】
【図１】本考案に係る引上げ式プリーツカーテンをその降ろした状態で示す背面斜視図である。
【図２】その背面図である。
【図３】その正面斜視図である。
【図４】カーテン基布を示す斜視図と断面図である。
【図５】引上げ式プリーツカーテンの上側の部分を示す側面図と部分斜視図である。
【図６】引上げ式プリーツカーテンの中間部分を示す側面図と部分斜視図である。
【図７】引上げ式プリーツカーテンの下端側部分を示す側面図と部分斜視図である。
【図８】引上げ式プリーツカーテンの上側の部分とテンションバーを示す斜視図である。
【図９】引上げ式プリーツカーテンを窓部に取り付けた状態を示す部分正面図である。
【図１０】引上げ式プリーツカーテンの下側の部分を引き上げた状態を示す側面図である。
【図１１】その斜視図である。
【図１２】引上げ式プリーツカーテンの全体を引き上げた状態を示す側面図である。
【図１３】昇降コード束が挿通されてなるストッパ具を示す斜視図である。
【図１４】その断面図である。
【図１５】引上げ式プリーツカーテンのその他の実施例を示す背面図である。
【図１６】その上側部分を示す斜視図である。
【図１７】引上げ式プリーツカーテンのその他の実施例を示す背面図である。
【図１８】その上側部分を示す斜視図である。
【図１９】その引上げ状態を示す側面図である。
【図２０】引上げ式プリーツカーテンのその他の実施例を示す斜視図である。
【図２１】引上げ式プリーツカーテンのその他の実施例を示す、背面から見た部分斜視図である。
【図２２】引上げ式プリーツカーテンのその他の実施例を背面から見た部分斜視図である。
【図２３】従来の引上げ式プリーツカーテンを示す斜視図である。
【図２４】そのロック装置を示す断面図である。
【考案を実施するための形態】
【実施例１】
【００１７】
図１〜３において本考案に係る引上げ式プリーツカーテン１は、横方向に連続する直線状の折り目２が上下複数段に形成されてなるカーテン本体３を、昇降コード５の昇降操作によって各折り目２での屈曲によりジグザグ状の折り畳み状態で引上げ可能となされている。本実施例においては、上下隣り合う折り目２，２間をなすカーテン片４の上下幅は略等しく設定されている。該折り目２は、カーテン本体３の屈曲を可能とする部分であり、屈曲を可能とする構成を有するものであればよい。
【００１８】
そして、前記カーテン本体３の最下段の折り目２Ａの下側にウエイト部６が設けられると共に、該カーテン本体３の最上段の折り目２Ｂの上側には、テンションバー７を挿通させるための挿通孔９がカーテン本体３の幅方向に設けられている。又、前記最上段の折り目２Ｂから数えて奇数番目の折り目２Ｃの後部分には突出片１０が形成されている。そして前記昇降コード５は、前記カーテン本体３の後面１１の幅方向の少なくとも両側で（図１〜３においては両側で）、前記突出片１０に設けられたコード挿通部１２に挿通せしめられ、該昇降コード５の下端部１３が前記ウエイト部６に取り付けられている。そして、該昇降コード５を下方向に引くことによってカーテン本体３が引き上げられる如くなされ、所要の引上げ状態が弾性押圧式のストッパ具１５でロックされることにより、該カーテン本体３の所要の引き上げ状態が保持されるようになされている。以下、これをより具体的に説明する。
【００１９】
前記カーテン本体３は、図４に示すような縦長長方形状を呈するカーテン基布１６を用いて構成されている。より詳しくは、合成繊維の布地や不織布、樹脂加工が施された布地等のプリーツ形成が可能な生地を用いて構成されており、本実施例においては、比較的硬く折り目を付けやすい生地、例えば、ロールスクリーン用の生地を用いて構成されている。ロールスクリーン用の生地は、例えばポリエステル等の布帛８の表裏が樹脂１４で被覆された０．３ｍｍ程度の厚さを有する比較的硬い生地である。ロールスクリーンの表面に皺が付いては困るため、比較的硬く形成されているのであるが、この硬さは、前記のような折り目２の形成を容易化且つ確実化できるために、前記カーテン基布１６を形成するために好適な生地と言える。この生地は、窓部等の被取り付け部の幅に合わせて、例えば横幅Ｌ１が、２５〜１００ｃｍに設定されると共に、その上下長さＬ２は６０〜２００ｃｍ程度に設定される。例えば横幅Ｌ１が３０ｃｍ程度で、上下長さＬ２が１５０ｃｍ程度に設定される。
【００２０】
前記カーテン本体３は、例えば図２、図５に示すように、前記カーテン基布１６の上端側の部分を後側に折り返すと共にその下端側部分で上側に細幅に折り曲げ、折り曲げの縁部１７を該カーテン基布１６の幅方向に縫製１８する。これにより、図５に示すように、前記テンションバー７を挿通させるための挿通孔９が該カーテン基布１６の幅方向に連続して設けられた、両端１９，１９が開放した挿通筒部２０が形成されている。
【００２１】
そして、前記折り曲げ縁部１７の直下において、前記カーテン基布１６を図１〜２、図１０〜１２に示すように、後方に突に屈曲させる第１の折り目２ａ（前記折り目２）が、カーテン基布１６の幅方向に連続して形成されている。以下、カーテン基布１６を後方に突に屈曲させる折り目を後方突の折り目といい、逆に、カーテン基布１６を前方に突に屈曲させる折り目を前方突出の折り目という。
【００２２】
前記第１の折り目２ａの稍下側において、図１〜２に示すように、前方突出の第２の折り目２ｂがカーテン基布１６の幅方向に連続して形成されている。
【００２３】
又、該第２の折り目２ｂの稍下側において、図１〜２、図６に示すように、前記突出片１０が形成されている。該突出片１０は、図６に示すように、前記カーテン基布１６を後方に突出するように二つ折りして形成した二つ折り部２１の基端部２２を該カーテン基布１６の幅方向に縫製して構成されており、該縫製による縫製線２３によって、後方突の第３の折り目２ｃがカーテン基布１６の幅方向に連続して形成されている。
【００２４】
該第３の折り目２ｃの稍下側において、図１〜２に示すように、前方突の第４の折り目２ｄがカーテン基布１６の幅方向に連続して形成されている。
【００２５】
又、該第４の折り目２ｄの稍下側において、図１〜２に示すように、前記と同様構成の突出片１０が形成されることによって、後方突の第５の折り目２ｅがカーテン基布の幅方向に連続して形成されている。
【００２６】
以下同様にして、図１〜２に示すように、該第５の折り目２ｅの稍下側において、前方突の第６の折り目２ｆが設けられると共に、その下側において、前記と同様構成の突出片１０が設けられることによって後方突の第７の折り目２ｇが形成されている。又、該第７の折り目２ｇの稍下側において、前方突の第８の折り目２ｈが設けられると共に、該第８の折り目２ｈの稍下側に、前記と同様構成の突出片１０が設けられることによって後方突の第９の折り目２ｉが設けられている。又、該第９の折り目２ｉの稍下側において、前方突の第１０の折り目２ｊが設けられている。そして、該第１０の折り目２ｊの稍下側において、前記と同様構成の突出片１０が設けられることによって後方突の第１１の折り目２ｋが設けられている。又、該第１１の折り目２ｋの稍下側において、前方突の第１２の折り目２ｍが設けられると共に、該第１２の折り目２ｍの稍下側において、前記と同様構成の突出片１０が設けられることによって後方突の第１３の折り目２ｎが設けられている。更に、該第１３の折り目２ｎの稍下側において、前方突の第１４の折り目２ｐが設けられており、該第１４の折り目２ｐの稍下側において、後方突の第１５の折り目２ｑが設けられている。
【００２７】
前記最下段の折り目２Ａである該第１５の折り目２ｑよりも下側部分は、後側で上方向に折り曲げると共にその上端側部分で下側に細幅に折り曲げ、該折り曲げ部の縁部２５を該カーテン基布１６の幅方向に縫製１８する。これにより、図７に示すように、ウエイトバー２６を収容するための収容筒部２７が形成されている。該収容筒部２７内にウエイトバー２６が収容された状態で、該収容筒部２７の両端部分２９，２９が上下方向に縫製されることにより、ウエイトバー２６が収容状態の前記ウエイト部６が、前記最下段の折り目（第１５の折り目２ｑ）２Ａの下側に設けられている。第１５の折り目２ｑは、最上段の折り目２Ｂから数えて奇数番目の折り目ではあるが、該第１５の折り目２ｑの直下にはウエイト部６が設けられる関係上、該第１５の折り目２ｑの後部分には前記突出片１０は設けられない。従って前記コード挿通部１２は設けられない。
【００２８】
本考案において、「前記昇降コード５が、最上段の折り目から数えて奇数番目の折り目の後部分に設けられたコード挿通部１２に挿通せしめられる」とは、本実施例で示すように、最下段の折り目の直下にウエイト部６が設けられる場合は、該最下段の折り目が奇数番目の折り目に該当しても、該最下段の折り目の後部にはコード挿通部１２が設けられない、ことを意味している。
【００２９】
前記テンションバー７は、図８に示すように、直線状の外パイプ３０内に直線状の内パイプ３１が挿入されており、該内パイプ３１の引き出し長さを調整できるように構成され、所定に長さ設定された状態で、前記外パイプ３０に内蔵されたバネ部材（図示せず）の付勢作用に逆らって該内パイプ３１を外パイプ３０内に押し込み可能となされている。従って、所要長さに設定された該テンションバー７を前記挿通孔９に挿通させると共に、図１に示すように、該テンションバー７の両端部３３，３３を前記挿通筒部２０の外方に突出状態とし、この状態で、図９に示すように、該テンションバー７を稍圧縮状態にして、上下に長い細幅の窓部３５の上縁部３６の対向する壁面３７，３７間に架け渡すと、前記バネ部材３２の付勢作用によって、該テンションバー７が、例えば窓部３５の両壁面３７，３７間で突っ張り状態となる。これによって、該テンションバー７を窓部３５の上縁部３６に固定でき、前記カーテン本体３を吊下できる。
【００３０】
そして、前記構成を有するカーテン本体３の後面側には、前記突出片１０の夫々の両側において、上下方向に同心状態で、貫通孔（例えば円形孔）１２ａからなる前記コード挿通部１２，１２が設けられている。又、前記ウエイト部６の上縁部の両側には、図１、図７に示すように、最下段の突出片１０ａに設けられている両側のコード挿通部１２，１２の直下において結着リング３９，３９が取り付けられている。
【００３１】
又、図１、図５、図８に示すように、前記挿通孔９を形成する前記挿通筒部２０の下縁部の両側において、最上段の突出片１０ｂに設けられている両側のコード挿通部１２，１２の直上において、例えばガイドリング４０ａ，４０ａからなる前記ガイド挿通部４０，４０が設けられている。該ガイドリング４０ａは、前記昇降コード５を下方から支持する平滑なガイド部４４を有しており、例えば円環状に構成される。該ガイドリング４０ａは、かかる平滑なガイド部４４を有するものであれば、楕円形や四角形、三角形等の角形、Ｕ字形等、円環状以外の形態に構成されることもある。
【００３２】
前記昇降コード５は、前記突出片１０，１０，１０，１０，１０，１０の両側で設けられた上下方向に同心のコード挿通部列４１，４１の夫々において、各コード挿通部１２に挿通せしめられ、図１、図７に示すように、該昇降コード５の下端部１３が前記結着リング３９に結着されている。該昇降コード５は前記両側のガイド挿通部４０，４０（ガイドリング４０ａ，４０ａ）の対応のものに挿通せしめられ、前記カーテン本体３の一端側のストッパ用ガイド挿通部３８としてのガイド挿通部４０Ａには、図１、図５、図８に示すように、他方側のガイド挿通部４０Ｂに挿通せしめられた昇降コード５も挿通されて、２本の昇降コード５，５が該一端側のストッパ用ガイド挿通部３８の外側部４２で下方に垂れた状態とされる。そして該垂れた昇降コード束４３は、図１、図８に示すように、弾性押圧式の前記ストッパ具１５の紐ガイド４５に挿通せしめられており、該昇降コード束４３の下端には摘み片４６が取り付けられている。
【００３３】
然して、該垂れた状態の昇降コード束４３を下方に引くことによって図１０〜１１、図１２に示すように、前記カーテン本体３が引き上げられる。このように引き上げる際、前記挿通筒部２０は剛性を有するため、該挿通筒部２０の他方側の部分４８ａ（図１）がその一方側の部分４８ｂ（図１）に近寄る恐れなく、該カーテン本体３の引き上げを安定状態で行うことができる。所要の引上げ状態で、該ストッパ具１５を、該昇降コード束４３に沿って上方向に移動させて該昇降コード束４３に固定状態として後、該ストッパ具１５を、前記一端側のストッパ用ガイド挿通部３８の前記外側部４２に当接状態に係合させることにより、前記カーテン本体３の所要の引上げ状態を保持させ得るようになされている。
【００３４】
該ストッパ具１５は、本実施例においては、図１３〜１４に示すような公知の弾性押圧式のストッパ具を用いて構成されている。該ストッパ具１５は弾性挾持手段４７を具えており、該弾性挾持手段４７で前記昇降コード束４３を挾着させることにより、該ストッパ具１５を該昇降コード束４３に固定させ得るようになされている。
【００３５】
該ストッパ具１５は図１３〜１４に示すように、一端４９が開放した有底で内部が空洞に形成された楕円形筒状を呈する筒状体５０と、該筒状体５０内に組み込まれた可動体５１と、該筒状体５０内に収容されたコイルバネ５２とを具えている。そして該筒状体５０は、前記一端４９側の上下面部５３，５５に、例えば楕円形の紐挿通孔５６，５６が対向して設けられている。又、該可動体５１は、前記筒状体５０内に収容される軸部５７の先端に頭部５９が設けられており、該頭部５９は、前記一端４９から突出する如くなされている。そして、該軸部５７には、前記紐挿通孔５６，５６に合致し得る貫通孔６０が設けられている。又、前記筒状体５０内に収容されたコイルバネ５２の付勢作用によって、前記軸部５７の先端側に設けられた係合突部６１が前記紐挿通孔５６の先側の内周面６２と係合することにより、該可動体５１が抜け止めされるようになされている。一方、前記コイルバネ５２の付勢作用に逆らって前記頭部５９を図１４（Ｂ）に矢印で示す方向に押すことにより、前記貫通孔６０が、図１４（Ｂ）に示すように前記紐挿通孔５６，５６に連通するようになされている。そして、この連通した紐挿通孔５６，５６と貫通孔６０が構成する前記紐ガイド４５に前記昇降コード束４３が挿通せしめられている。
【００３６】
然して、前記頭部５９を図１４（Ｂ）に示すように押すことにより、前記ストッパ具１５は、前記昇降コード束４３に沿って移動できる。該頭部５９を離すことにより、図１４（Ａ）に示すように、昇降コード束４３は、前記コイルバネ５２の付勢作用による弾性復帰によって、可動体５１と筒状体５０との間で挾着される。即ち、該昇降コード束４３は、前記貫通孔６０の先側の内周面６３と、前記紐挿通孔５６，５６の先側の内周面６２と、前記コイルバネ５２とを具える弾性挾持手段４７で挾着される。これにより、該ストッパ具１５を該昇降コード束４３に固定させることができる。
【００３７】
そして図９に示すように、前記挿通筒部２０の挿通孔９に前記テンションバー７を挿通させると共に、該テンションバー７を弾性圧縮状態とし、その両端部３３，３３を、窓部３５の上縁部３６の対向する壁面３７，３７に当接させることにより、該テンションバー７は前記バネ部材の付勢作用に逆らって突っ張り状態で該壁面３７，３７間に水平状態に架設されることになる。これによって、該テンションバー７を該上縁部３６に固定でき、カーテン本体３の上端部６５が該テンションバー７を介して該上縁部３６に吊下状態とされる。即ち、引き上げ式プリーツカーテン１が該上縁部３６に吊下状態とされる。
【００３８】
前記カーテン本体３が、図１〜２に示すように降ろされた状態においては、室内を所要に遮光できると共に、前記昇降コード束４３を下方向に引くことによって、該カーテン本体３を前記折り目２での屈曲によりジグザグ状の折り畳み状態で引上げることができる。そして、所望の引上げ状態で、前記ストッパ具１５を、前記頭部５９を図１４（Ｂ）に矢印で示す方向に押しながら前記昇降コード束４３に沿って上方向に移動させて後、図１４（Ｂ）に示すように、前記ストッパ具１５に設けられている前記弾性挾持手段４７で該昇降コード束４３を挾着させることにより、該ストッパ具１５を該昇降コード束４３に簡易に固定させることができる。該固定状態のストッパ具１５を、図１０（Ｂ）、図１２に示すように、前記一方側のガイド挿通部４０Ａ（ストッパ用ガイド挿通部３８）の前記外側部４２に当接状態に係合させることにより、前記カーテン本体３の所要の引上げ状態を保持させることができる。
【００３９】
その後、カーテン本体３の引上げ状態を変更する場合やカーテン本体３を降ろされた状態にしたいときは、前記頭部５９を図１４（Ｂ）に矢印で示す方向に押しながら前記ストッパ具１５を該昇降コード束４３に沿って移動させ、この状態で、前記昇降コード束４３を昇降操作する。これによって、該カーテン本体３の引上げ状態を変更したりカーテン本体３を降ろした状態にできる。その後、前記頭部５９を離すことにより、前記昇降コード束４３は前記コイルバネ５２の付勢作用によって、前記弾性挾持手段４７で挾着され、該ストッパ具１５を該昇降コード束４３に固定させることができる。前記と同様にして、該固定状態のストッパ具１５を前記外側部４２に当接状態に係合させることにより、前記カーテン本体３を、変更後の所要の引上げ状態で保持させることができる。
【実施例２】
【００４０】
図１５〜１６は、本考案に係る引上げ式プリーツカーテン１の他の実施例を示すものであり、基本的な構成は実施例１に示す引上げ式プリーツカーテン１における場合と同様である。
【００４１】
実施例１における場合と相違する点は、前記実施例１における二つ折り部２１からなる突出片１０を前記カーテン基布１６の後面１１に重ね合わせて後、該二つ折り部２１の上下の端縁６６，６８をカーテン基布１６の幅方向に縫製した点であり、その際に、リング状を呈するコード挿通部１２が取り付けられてなる取付け片６７を前記二つ折り部２１と前記カーテン基布１６との間に挾み込んで、該取付け片６７も含めて前記のように縫製する構成を採用した点である。
【００４２】
図１５は、このようにして構成された引上げ式プリーツカーテン１を、カーテン本体３が降ろされた状態で示している。かかる構成を有する引上げ式プリーツカーテン１は、前記実施例における場合と同様にして、テンションバー７を介して例えば窓部３５の上縁部３６で吊下できる。
【００４３】
かかる構成を有する引上げ式プリーツカーテン１は、昇降コード５の昇降操作によって各折り目２での屈曲によりジグザグ状の折り畳み状態で引上げでき、所要の引上げ状態を前記弾性押圧式のストッパ具１５で保持できることは実施例１における場合と同様である。
【実施例３】
【００４４】
図１７〜１９は、本考案に係る引上げ式プリーツカーテン１のその他の実施例を示すものであり、横方向に連続する直線状の折り目２が上下複数段に形成されてなるカーテン本体３が、昇降コード５の昇降操作によって各折り目２での屈曲によりジグザグ状の折り畳み状態で引上げ可能となされ、所要の引上げ状態を、弾性押圧式のストッパ具１５を用いて保持可能とされている点は、実施例１における場合と同様であり、その他の基本的な構成もこれと同様である。
【００４５】
実施例１における場合と相違する点は、前記昇降コード５を、上下の折り目２，２間をなすカーテン片４に設けられた貫通孔（例えば円形孔）１２ａからなるコード挿通部１２に挿通させた点であり、該昇降コード５は、前記と同様にして、その下端部１３が前記ウエイト部６に取り付けられている。本実施例においては、該コード挿通部１２は、前記カーテン片４の上下幅の略中央部に設けられている。このように、コード挿通部１２をカーテン片４の上下幅の略中央部に設ける場合は、前記カーテン本体３を、該カーテン片４を略水平状態にして、ジグザグ状の折り畳み状態で体裁よく引上げることができる。
【実施例４】
【００４６】
本考案は、前記実施例で示したものに限定されるものでは決してなく、「実用新案登録請求の範囲」の記載内で種々の設計変更が可能であることはいうまでもない。その一例を挙げれば次のようである。
【００４７】
(1) 図２０は、ストッパ用ガイド挿通部３８を前記ガイド挿通部４０とは別個に設けた場合を示すものであり、例えば同図に示すようなリング状に構成されている。該ストッパ用ガイド挿通部３８には、昇降コード５の全てが挿通され、その外側部４２で下方に垂れた状態とされる。そして該垂れた昇降コード束４３は、図２０に示すように、前記と同様構成のストッパ具１５の紐ガイド４５に挿通せしめられており、該昇降コード束４３の下端には摘み片４６が取り付けられている。このように構成する場合は、ストッパ用ガイド挿通部３８をカーテン本体３の一端５８により近接させることができるため、昇降コード５の昇降操作とストッパ具１５のストッパ操作をより容易化し得ることとなる。
【００４８】
(2) 前記カーテン本体３を構成する、上下の折り目間をなす各カーテン片４の上下幅は、前記各実施例で示したように略等しく設定されることの他、カーテン本体３の上下方向の上側部分や中間部分、下側部分等において異ならせることもある。又、カーテン本体３の上下方向の全体又はその一部分において、その下から上に向けて、カーテン片４の幅を徐々に大きく変化させたり徐々に小さく変化させることもある。
【００４９】
(3) 前記昇降コード５の使用本数は、カーテン本体３を円滑に引上げできるように設定されるものであり、前記カーテン本体３の幅が大きい場合は、３本以上に設定される。例えば、カーテン本体３の幅を９０ｃｍ程度に設定した場合は、図２１に示すように、該カーテン本体３の後面の幅方向の両側と中央部分に配置するのがよい。
【００５０】
(4) 前記突出片１０を、前記カーテン基布１６を二つ折りして形成した二つ折り部２１を以て構成する場合、特にカーテン本体３の幅が例えば１００〜２００ｃｍと大きい場合は、前記カーテン片４の直線性を保ってカーテン本体３をより円滑に引上げることができるようにするため、図２２に示すように、該二つ折り部２１が形成する筒状部６９に、例えばグラスファイバー等の線状材７０を収容することもある。
【００５１】
(5) 本考案に係る引上げ式プリーツカーテンは、前記した窓部に取り付けることの他、室内の開口部の壁面間に取り付けて間仕切り等の室内装飾として用いることもできる。
【符号の説明】
【００５２】
１  引上げ式プリーツカーテン
２  折り目
３  カーテン本体
５  昇降コード
６  ウエイト部
７  テンションバー
９  挿通孔
１０  突出片
１２  コード挿通部
１５  ストッパ具
１６  カーテン基布
２０  挿通筒部
２１  二つ折り部
３８  ストッパ用ガイド挿通部
４０  ガイド挿通部
４０Ａ  一方側のガイド挿通部
４２  外側部
４３  昇降コード束
４４  平滑なガイド部
４７  弾性挾持手段
【図１】
0003162307.tif 000003
【図２】
0003162307.tif 000004
【図３】
0003162307.tif 000005
【図４】
0003162307.tif 000006
【図５】
0003162307.tif 000007
【図６】
0003162307.tif 000008
【図７】
0003162307.tif 000009
【図８】
0003162307.tif 000010
【図９】
0003162307.tif 000011
【図１０】
0003162307.tif 000012
【図１１】
0003162307.tif 000013
【図１２】
0003162307.tif 000014
【図１３】
0003162307.tif 000015
【図１４】
0003162307.tif 000016
【図１５】
0003162307.tif 000017
【図１６】
0003162307.tif 000018
【図１７】
0003162307.tif 000019
【図１８】
0003162307.tif 000020
【図１９】
0003162307.tif 000021
【図２０】
0003162307.tif 000022
【図２１】
0003162307.tif 000023
【図２２】
0003162307.tif 000024
【図２３】
0003162307.tif 000025
【図２４】
0003162307.tif 000026